(57)【特許請求の範囲】
【請求項１】
透明性を有するベースポリマー１００重量部と、白色系着色剤０．１０〜１．５０重量部と、光を拡散させる光拡散剤０〜３重量部とを含み、前記ベースポリマーはポリメチルメタクリレートであり、前記白色系着色剤は二酸化チタンを含み、前記光拡散剤はポリスチレン架橋体および硫酸バリウムのいずれかを用いた白鍵用組成物から形成され、押鍵指示のために照光される照光部を有するとともに、演奏前の初期位置からほぼ基端部を中心として水平な軸まわりに回動自在に設けられた白鍵と、
前記照光部を前記白鍵の押鍵操作面の背面側から照光する光源と、
前記白鍵が通常は前記初期位置に保持されるように付勢すると共に、演奏時に押圧されて回動した前記白鍵を前記初期位置に戻す付勢手段とを備え、
前記白鍵が初期位置にあるときの前記光源から前記照光部の表面までの距離は、８ｍｍ以上２７ｍｍ以下であり、
前記白鍵の前記照光部における板厚は、１ｍｍ以上６．０ｍｍ以下であり、
前記光源の照度は、２２８ルクス以上であることを特徴とする鍵盤装置。
【請求項２】
前記白鍵用組成物における前記白色系着色剤は、群青、チタンエロー系顔料をさらに含むことを特徴とする請求項１に記載の鍵盤装置。
【請求項３】
前記付勢手段は、前記白鍵の下方で水平な軸まわりに回動自在に設けられるハンマーアームであり、
該ハンマーアームは、前記白鍵の下部側において摺動自在に当接する鍵当接部と、該鍵当接部を通常は上方に付勢して前記白鍵の下部側に当接させる自重をもつハンマー部とを備えることを特徴とする請求項１または２に記載の鍵盤装置。
【請求項４】
透明性を有するベースポリマー１００重量部と、光を拡散させる光拡散剤０．３０〜３．０重量部と、黒色系着色剤０．０１〜０．０４重量部とを含み、前記ベースポリマーはポリメチルメタクリレートであり、前記光拡散剤はポリスチレン架橋体であり、前記黒色系着色剤はカーボンブラックを含む黒鍵用組成物から形成され、押鍵指示のために照光される照光部を有するとともに、演奏前の初期位置からほぼ基端部を中心として水平な軸まわりに回動自在に設けられた黒鍵と、
前記照光部を前記黒鍵の押鍵操作面の背面側から照光する光源と、
前記黒鍵が通常は前記初期位置に保持されるように付勢すると共に、演奏時に押圧されて回動した前記黒鍵を前記初期位置に戻す付勢手段とを備え、
前記黒鍵が初期位置にあるときの前記光源から前記照光部の上面までの距離は、８ｍｍ以上２９ｍｍ以下であり、
前記黒鍵の前記照光部における板厚は、１ｍｍ以上３．０ｍｍ以下であり、
前記光源の照度は、１８８ルクス以上であることを特徴とする鍵盤装置。
【請求項５】
前記黒鍵用組成物における前記黒色系着色剤は、色調を調整する染料若しくは顔料をさらに含むことを特徴とする請求項４に記載の鍵盤装置。
【請求項６】
前記付勢手段は、前記黒鍵の下方で水平な軸まわりに回動自在に設けられるハンマーアームであり、
該ハンマーアームは、前記黒鍵の下部側において摺動自在に当接する鍵当接部と、該鍵当接部を通常は上方に付勢して前記黒鍵の下部側に当接させる自重をもつハンマー部とを備えることを特徴とする請求項４または５に記載の鍵盤装置。
【発明の詳細な説明】
【０００１】
【発明の属する技術分野】
本発明は、白鍵用組成物、黒鍵用組成物から形成された白鍵、黒鍵を備える鍵盤装置に関する。
【０００２】
【従来の技術】
近年、初心者を対象として、ナビゲート機能を有する鍵盤楽器が開発されている。このような鍵盤楽器では、たとえば、各鍵盤の根本付近に発光ダイオード等の光源を配置し、予めメモリに記憶された演奏曲に応じて、各光源を点灯させることにより、押すべき鍵盤を指示するように構成されている。
【０００３】
【発明が解決しようとする課題】
しかしながら、上記のような鍵盤楽器では、演奏中鍵盤の押される位置に対して、光源が離れているので、１つの音を押した後、次の押すべき音を確認するためにいちいち鍵盤から目を離さなければならず、初心者にとって使いやすいナビゲート機能と言えるものではなかった。
【０００４】
一方、鍵盤そのものが光るように構成された鍵盤楽器も知られている。このような鍵盤楽器では、白鍵および黒鍵を光が透過する樹脂から形成し、各鍵の下方に光源を配置し、光源が発光すると鍵そのものが光って見えるように構成されている。
鍵盤楽器の白鍵、黒鍵は、それぞれ、透明性を有する樹脂に対して着色剤を添加した材料からなるが、上記のように光を透過させるために、一般的な鍵盤より着色剤の量を減らした材料を使用していた。
しかし、着色剤の量を減らすと、白鍵の白さ、黒鍵の黒さが低下し、つまり色調品質が低下する上に、光源の輪郭が鍵盤表面に浮かび上がってしまい、ある程度以上の高い品質を好む使用者には好まれない鍵盤になってしまっていた。
逆に、白鍵、黒鍵の色調を強調するために着色剤の配合量を増加させると、当然のことながら光透過率が低下してしまい、鍵盤を光らせることができなくなってしまう。
以上のように、従来の光る鍵盤を備えた鍵盤楽器では、ナビゲート機能と鍵盤の品質の両方を十分に満たしたものは開発されていなかった。
【０００５】
本発明の課題は、初心者にとって分かり易く使いやすいナビゲート機能を実現でき、光源の輪郭が明瞭に浮かび上がることなく高品位な押鍵指示ができると共に、高級感のある色調をもつ白鍵および黒鍵を備えた鍵盤装置を提供することである。
【０００６】
【課題を解決するための手段】
以上の課題を解決するため、請求項１記載の発明は、例えば、図１〜図６、図１２に示すように、
透明性を有するベースポリマー１００重量部と、白色系着色剤０．１０〜１．５０重量部と、光を拡散させる光拡散剤０〜３重量部とを含み、前記ベースポリマーはポリメチルメタクリレートであり、前記白色系着色剤は二酸化チタンを含み、前記光拡散剤はポリスチレン架橋体および硫酸バリウムのいずれかを用いた白鍵用組成物から形成され、押鍵指示のために照光される照光部（Ｐ）を有するとともに、演奏前の初期位置からほぼ基端部を中心として水平な軸まわりに回動自在に設けられた白鍵（２０）と、
前記照光部を前記白鍵の押鍵操作面の背面側から照光する光源（黄色ＬＥＤ１８ｂ、赤色ＬＥＤ１８ｃ、２色ＬＥＤ１８ｄ）と、
前記白鍵が通常は前記初期位置に保持されるように付勢すると共に、演奏時に押圧されて回動した前記白鍵を前記初期位置に戻す付勢手段（ハンマーアーム４０）とを備え、
前記白鍵が初期位置にあるときの前記光源から前記照光部の表面までの距離は、８ｍｍ以上２７ｍｍ以下であり、
前記白鍵の前記照光部における板厚は、１ｍｍ以上６．０ｍｍ以下であり、
前記光源の照度は、２２８ルクス以上であることを特徴とする鍵盤装置（１）である。
【０００７】
ここで、「重量部」とは白鍵用組成物の組成を各成分の重量比で示したものである。
【０００８】
請求項１記載の発明によれば、透明性を有するベースポリマーとなるポリメチルメタクリレート１００重量部に対して、二酸化チタンを含む白色系着色剤０．１０〜１．５０重量部の他に、ポリスチレン架橋体および硫酸バリウムのいずれかからなる光拡散剤０〜３重量部とから白鍵用組成物が得られる。この白鍵用組成物により白鍵を作製しているので、高級感のある色調をもたせられると共に、白鍵を背面側から照光する光源の輪郭が明瞭に浮かび上がることなく高品位な押鍵指示ができる品質の白鍵を有する鍵盤装置となる。
【０００９】
ここで、白色系着色剤が０．１０重量部未満であるとベースポリマーの透明感がでてしまい良好な色調をもたせられず、１．５０重量部を越えると充分な光透過性が得られず好ましくない。また、光拡散剤が３重量部を越えると光透過性が低下してしまい好ましくない。なお、白色系着色剤にも光拡散の作用があるために、白色系着色剤が０．１０〜１．５０重量部含まれていれば、光拡散剤を含めなくとも良好な品質をもつ白鍵が得られる。
【００１０】
さらに請求項１記載の発明によれば、前記白鍵用組成物により白鍵が形成されているので、白鍵の押鍵操作面の背面側から照光部を照光したとき、照光部が光って見えるようになる。従って、メモリ等から呼び出した練習曲に応じて選択的に各光源を点灯した際、照光部が光って見えることから、アイポイントを鍵盤から動かさなくても次に押すべき鍵盤が光る様子を見ることができ、初心者にとって分かり易く使いやすいナビゲート機能となる。
【００１１】
加えて、白鍵が初期位置にあるとき、すなわち押鍵していないときの前記光源から前記照光部の表面までの距離は８ｍｍ以上２７ｍｍ以下であり、前記白鍵の前記照光部における板厚は、１ｍｍ以上６．０ｍｍ以下であり、前記光源の照度は、２２８ルクス以上であることから、光源からの光は演奏者が容易に視認できる程度に白鍵を透過しナビゲート機能を発揮できるとともに、白鍵表面に光源の輪郭が浮かび上がることなく高品位な鍵盤となる。
【００１２】
請求項１において、光源から前記照光部の表面までの距離が８ｍｍ未満であると、押鍵時のストロークの都合上好ましくない。また、２７ｍｍを超えると、暗くなり視認しにくくなる上に、鍵盤装置全体の高さ方向が大きくなってしまうことからその点でも好ましくない。
板厚については、１ｍｍ未満の厚さは製造上困難であり、仮に製造できたとしても強度などの点で好ましくない。また、６．０ｍｍより厚い場合には、光が通りにくくなり視認しにくくなる上に、鍵盤全体の重量も重くなりその点でも好ましくない。なお、照光部以外の板厚には何ら制限はなく、照光部を含む白鍵の押鍵操作面全体が全て同じ板厚でもよいし、照光部とそれ以外の部分が異なる厚さであってもよい。
【００１３】
光源照度については、２２８ルクス未満であると、光量が少なすぎて暗くなる。なお、光源照度の上限値について、本発明に係る白鍵組成物からなる白鍵は、光を十分に拡散するので、かなり光源照度が大きくても光源の輪郭が浮かび上がったり、眩しいほどに鍵盤が発光するようなことはない。よって、光源照度の上限値は実質的にはなく、実用上、電気的な容量や大きさの点で鍵盤装置に用いることが可能である市販の光源で決まる。
【００１４】
請求項２記載の発明は、請求項１記載の鍵盤装置において、
前記白鍵用組成物における前記白色系着色剤は、群青、チタンエロー系顔料をさらに含むことを特徴とする。
【００１５】
請求項２記載の発明によれば、請求項１と同様の効果を奏することができるとともに、さらに高級感のある色調を白鍵にもたせられる白鍵用組成物が得られる。
【００１６】
請求項３記載の発明は、請求項１または２に記載の鍵盤装置において、
前記付勢手段は、前記白鍵の下方で水平な軸（ハンマーアーム回動支持軸４３）まわりに回動自在に設けられるハンマーアーム（４０）であり、
該ハンマーアームは、前記白鍵の下部側において摺動自在に当接する鍵当接部（４２）と、該鍵当接部を通常は上方に付勢して前記白鍵の下部側に当接させる自重をもつハンマー部（４４）とを備えることを特徴とする。
【００１７】
請求項３記載の発明によれば、請求項１または２と同様の効果を奏することができるとともに、ハンマーアームを備える鍵盤装置において、高級感のある色調を有し、ナビゲートのときに光源の輪郭が明瞭に見えることがない良好な品質をもつ白鍵を備えた鍵盤装置が得られる。
【００１８】
請求項４記載の発明は、例えば、図１〜図６、図１２に示すように、
透明性を有するベースポリマー１００重量部と、光を拡散させる光拡散剤０．３０〜３．０重量部と、黒色系着色剤０．０１〜０．０４重量部とを含み、前記ベースポリマーはポリメチルメタクリレートであり、前記光拡散剤はポリスチレン架橋体であり、前記黒色系着色剤はカーボンブラックを含む黒鍵用組成物から形成され、押鍵指示のために照光される照光部（Ｑ）を有するとともに、演奏前の初期位置からほぼ基端部を中心として水平な軸まわりに回動自在に設けられた黒鍵（３０）と、
前記照光部を前記黒鍵の押鍵操作面の背面側から照光する光源（２色ＬＥＤ１８ｄ）と、
前記黒鍵が通常は前記初期位置に保持されるように付勢すると共に、演奏時に押圧されて回動した前記黒鍵を前記初期位置に戻す付勢手段（ハンマーアーム４０）とを備え、
前記黒鍵が初期位置にあるときの前記光源から前記照光部の上面までの距離は、８ｍｍ以上２９ｍｍ以下であり、
前記黒鍵の前記照光部における板厚は、１ｍｍ以上３．０ｍｍ以下であり、
前記光源の照度は、１８８ルクス以上であることを特徴とする鍵盤装置である。
【００１９】
ここで、「重量部」については、請求項１と同様である。
【００２０】
請求項４記載の発明によれば、透明性を有するベースポリマーとなるポリメチルメタクリレート１００重量部に対して、カーボンブラックを含む黒色系着色剤０．０１〜０．０４重量部の他に、光拡散剤となるポリスチレン架橋体０．３０〜３．０重量部とから黒鍵用組成物が得られる。この黒鍵用組成物により黒鍵を作製しているので、高級感のある色調をもたせられると共に、黒鍵を背面側から照光する光源の輪郭が明瞭に浮かび上がることなく高品位な押鍵指示ができる品質の黒鍵を有する鍵盤装置となる。
光拡散剤が０．３０重量部未満では充分な拡散効果が得られず、３．０重量部を越えると光透過性が低下してしまうために好ましくない。黒色系着色剤が０．０１重量部未満であるとダークブラウンのような色合いとなり、黒鍵として良好な色調をもたせられず、０．０４重量部を越えると充分な光透過性が得られず好ましくない。
【００２１】
さらに、請求項４によれば、黒鍵が初期位置にあるとき、すなわち押鍵していないときの前記光源から前記照光部の表面までの距離は、８ｍｍ以上２９ｍｍ以下で、前記黒鍵の前記照光部における板厚は、１ｍｍ以上３．０ｍｍ以下であり、前記光源の照度は、１８８ルクス以上であることから、光源からの光は演奏者が容易に視認できる程度に黒鍵を透過しナビゲート機能を発揮するとともに、黒鍵表面に光源の輪郭が浮かび上がることなく高品位な鍵盤となる。
【００２２】
前記光源から前記照光部の表面までの距離が８ｍｍ未満であると押鍵時のストロークの都合上好ましくない。また、２９ｍｍを超えると、暗くなり視認しにくくなる上に、鍵盤装置全体の高さ方向が大きくなってしまうことからその点でも好ましくない。
また板厚については、１ｍｍ未満の厚さは製造上困難であり、仮に製造できたとしても強度の点で好ましくない。また、３．０ｍｍより厚い場合には、光が通りにくく視認しずらくなる。なお、照光部以外の板厚には何ら制限はなく、照光部を含む押鍵操作面全体が全て同じ板厚でもよいし、照光部とそれ以外の部分が異なる厚さであってもよい。
光源照度については、１８８ルクス未満であると、光量が少なすぎて暗くなる。なお、上限値については、白鍵の場合同様に実質的に上限値はなく、実用上設定すればよい。
【００２３】
請求項５記載の発明は、請求項４記載の鍵盤装置において、
前記黒鍵用組成物における前記黒色系着色剤は、色調を調整する染料若しくは顔料をさらに含むことを特徴とする。
【００２４】
請求項５記載の発明によれば、請求項４と同様の効果を奏することができるとともに、染料若しくは顔料により黒鍵の色味を調整でき、さらに高級感のある色調をもつ黒鍵が得られる。
【００２５】
請求項６記載の発明は、請求項４または５記載の鍵盤装置において、
前記付勢手段は、前記黒鍵の下方で水平な軸（ハンマーアーム回動支持軸４３）まわりに回動自在に設けられるハンマーアーム（４０）であり、
該ハンマーアームは、前記黒鍵の下部側において摺動自在に当接する鍵当接部（４２）と、該鍵当接部を通常は上方に付勢して前記黒鍵の下部側に当接させる自重をもつハンマー部（４４）とを備えることを特徴とする。
【００２６】
請求項６記載の発明によれば、請求項４または５と同様の効果を奏することができるとともに、請求項４と同様に、ハンマーアームを備える鍵盤装置において、高級感のある色調を有し、ナビゲートのときに光源の輪郭が明瞭に見えることがない良好な品質をもつ黒鍵を備えた鍵盤装置が得られる。
【００２７】
【発明の実施の形態】
以下、図面に基づき本発明の鍵盤装置について詳細に説明する。
まず、図１〜図１１を参照して、本発明の実施の形態としての鍵盤装置１を説明する。
図１、２に示すように、鍵盤装置１は、楽器ケース２に組み込まれる合成樹脂製の鍵盤シャーシ１０と、鍵盤シャーシ１０上に並列に配置され、押鍵指示のために照光される照光部Ｐ、Ｑ（図４に図示）を有する複数の白鍵２０および黒鍵３０と、押鍵指示のために照光部Ｐ、Ｑを押鍵操作面の背面側から照光するＬＥＤ１８ｂ、１８ｃ、１８ｄ（光源）と、複数の白鍵２０および黒鍵３０の押鍵動作に伴ってそれぞれ上下方向に回動して各鍵にアクション荷重を付与する複数のハンマーアーム４０（付勢手段）と、前記押鍵動作に応じてスイッチ動作してオン信号を出力するスイッチ部材５０とを備えている。
【００２８】
なお、黒鍵３０は、長手方向の長さが白鍵２０よりも短く、かつ、高さが白鍵２０よりも高く形成されることを除いて、白鍵２０とほぼ同様に構成される。
従って、以下の説明においては白鍵２０の周辺の構成を主体に説明するものとし、黒鍵３０については白鍵２０と異なる部分を主体に説明して、同様の構成要素については同一の符号を付してその説明を省略する。なお、図１は鍵盤装置１の全体構成を示し、図２は白鍵２０の長手方向に沿う断面図である。
【００２９】
図２に示すように、鍵盤シャーシ１０は、鍵盤シャーシ１０の後方で起立して列設された１対の垂直リブ１６と、押鍵された白鍵２０が横振れせずに下方に回動するようにガイドする鍵ガイド１５とを備える。また、鍵盤シャーシ１０には、ハンマーアーム４０が干渉しないように回動する領域が切り欠かれた開口部１７が形成される。
鍵盤シャーシ１０は、回動する白鍵２０の上限位置および下限位置を規制する鍵上限ストッパ１１および鍵下限ストッパ１２と、回動するハンマーアーム４０の上限位置および下限位置を規制するハンマー部上限ストッパ１３およびハンマー部下限ストッパ１４とが設けられる。鍵上限ストッパ１１、鍵下限ストッパ１２、ハンマー部上限ストッパ１３、ハンマー部下限ストッパ１４、はフェルト等からなる。
【００３０】
白鍵２０は、前端部から下方に垂設される側面視Ｌ字状のストッパ片２１と、白鍵２０の長手方向のほぼ中間部で下方に突出して一体に形成されたスイッチ押圧部材２２と、後端部に設けられ、ほぼ水平に配設される鍵回動支持軸２３とを備える。スイッチ押圧部材２２の下面は、後方から前方に向けて斜め下方に傾斜するスイッチ当接部２２ａが形成される。鍵回動支持軸２３が垂直リブ１６に回動自在に軸支されることで、白鍵２０が演奏前の初期位置からほぼ基端部を中心に上下方向に回動自在に設けられる。
図３に示すように、黒鍵３０についても同様であり、演奏前の初期位置からほぼ基端部を中心に上下方向に回動自在に設けられる。図４に互いに隣り合う白鍵２０および黒鍵３０を示す。図５は白鍵２０および黒鍵３０のＡ−Ａ'線（図４に図示）に沿う断面図である。
【００３１】
ハンマーアーム４０は、合成樹脂製のアーム本体４１と、アーム本体４１のほぼ前端部に設けられた鍵当接部４２と、ほぼ水平に配設されるハンマーアーム回動支持軸４３と、アーム本体４１の後端部に取り付けられたハンマー部（錘）４４とを備える。
ハンマーアーム４０は、アーム本体４１が開口部１７を貫通した状態で、アーム本体４１の長手方向が白鍵２０と略平行に配設される。ハンマーアーム回動支持軸４３が鍵盤シャーシ１０に回動自在に軸支され、ハンマーアーム４０が、白鍵２０の下方でハンマーアーム回動支持軸４３のまわりに回動自在に軸支される。
【００３２】
スイッチ部材５０は、ドーム状に突出する弾性変形可能な膨出部５２を備える。スイッチ部材５０はスイッチ基盤５１に固定的に設けられ、白鍵２０および黒鍵３０の配列方向に連続する帯状に形成される。図示はしないが、膨出部５２の内部には、膨出部５２が押圧されるとスイッチ基板５１に設けられた固定接点と接触してオン信号を出力する可動接点が設けられる。
鍵盤シャーシ１０の貫通孔１Ａに膨出部５２が下方から挿入された状態で、スイッチ基盤５１が鍵盤シャーシ１０の下面にボルト５１ａにより固定される。また、貫通孔１Ａから上方に突出する膨出部５２が、白鍵２０および黒鍵３０のスイッチ押圧部材２２に対応する個所に位置するように配設される。
【００３３】
白鍵２０の照光部Ｐ（図４に図示）の下方には、白鍵ＬＥＤホルダ１８が設けられる。白鍵ＬＥＤホルダ１８には、単体の黄色ＬＥＤ１８ｂと、単体の赤色ＬＥＤ１８ｃと、黄色もしくは赤色のいずれかに発光可能な２色ＬＥＤ１８ｄと、からなる３個のＬＥＤが、後方からこの順番で一組となって配列されたＬＥＤ基板１８ａが設けられる。
黒鍵３０の照光部Ｑ（図４に図示）の下方にも、黒鍵ＬＥＤホルダ１９が設けられる（図３参照）。黒鍵ＬＥＤホルダ１９には、黄色もしくは赤色のいずれかに発光可能な１個の２色ＬＥＤ１８ｄを有するＬＥＤ基板１８ｅが設けられる。
【００３４】
従って、白鍵２０および黒鍵３０の照光部Ｐ、Ｑを、赤色もしくは黄色いずれか異なる色で押鍵操作面の背面側から照光できる。これにより、演奏のときに右手と左手とのいずれで押鍵するかを異なる色で指示できる。
白鍵２０では、右手指の押鍵指示のときは、単体の赤色ＬＥＤ１８ｃと２色ＬＥＤ１８ｄの赤色を同時に発光させ、左手指の押鍵指示のときは、単体の黄色ＬＥＤ１８ｂと２色ＬＥＤ１８ｄの黄色を同時に発光させる。黒鍵３０では、２色ＬＥＤ１８ｄを黄色もしくは赤色のいずれかに発光させることで、白鍵２０と同様に右手と左手とのいずれで押鍵するかを指示する。
【００３５】
なお、白鍵２０は黒鍵３０より鍵表面の面積が広く長さ寸法も長いために、白鍵２０を照光するにはより多くの発光量が必要となるが、３個のＬＥＤ１８ｂ、１８ｃ、１８ｄを併用することにより充分な光量が確保される。また、黒鍵３０は白鍵２０より鍵表面の面積が狭いと共に長さ寸法も短く、さらに黒色であり光吸収率が高いために、照光部Ｑが照光されたときの視認性が良い。このために、白鍵２０の照光部Ｐを照光したときとの発光バランスを考慮すると１個の２色ＬＥＤ１８ｄで充分である。
【００３６】
以下、鍵盤装置１の演奏時の動作を説明する。
演奏前の通常の状態では、ハンマー部４４の自重によりハンマーアーム４０が図２、３、５における時計方向に回動するように付勢される。これにより、鍵当接部４２が白鍵２０および黒鍵３０を上方に付勢している。すなわち、ハンマー部４４がハンマー部下限ストッパ１４に当接し、かつ、鍵当接部４２が白鍵２０および黒鍵３０の下部側において摺動自在に当接すると共に、ストッパ片２２が白鍵上限ストッパ１１に当接することで、演奏前の所定の初期位置（上限位置）に位置規制される。
この状態で、押鍵操作される白鍵２０および黒鍵３０は、鍵ガイド１５によりガイドされながら鍵回動支持軸２３を中心に下方に回動すると共に、ハンマーアーム４０がハンマー部４４の重量に抗して反時計回りに回動する。こうして回動されたハンマーアーム４０は、ハンマー部４４がハンマー部上限ストッパ１３に当接して上限位置に規制されると共に、白鍵２０および黒鍵３０は、ストッパ片２２が白鍵下限ストッパ１２に当接して下限位置に位置規制される。この過程で、スイッチ当接部２２ａがスイッチ部材５０の膨出部５２に当接して押圧することにより、スイッチ部材５０内部の可動接点が固定接点に接触してオン信号を出力し、押鍵された白鍵２０および黒鍵３０に応じた楽音を発生させる。
【００３７】
上鍵盤装置１では、後述するように白鍵２０や黒鍵３０を形成するための組成物について限定することに加えて、白鍵２０や黒鍵３０について構造や配置上の適切な値を設定することで、本発明の目的である鍵盤の品質や高級感と確実なナビゲート機能を確保している。
【００３８】
まず、上記構成の鍵盤装置１における白鍵２０及び黒鍵３０それぞれの構造や配置上の条件について以下のように検討した。ここでの実験では、鍵盤装置１の一例として８８鍵の電子ピアノを用いた。図６には白鍵２０を、図７には黒鍵３０それぞれの先端部分の概略構造を示した。符号２０ａは、白鍵２０の天井を構成する照明部Ｐを含む天面部、３０ａは黒鍵３０の照明部Ｑを含む天面部である。
【００３９】
白鍵２０・黒鍵３０について、次の（１）〜（３）それぞれのパラメータについて変化させ、好適な値を求めた。
（１）白鍵２０、黒鍵３０が初期位置にあるときの光源から照光部Ｐ、Ｑ表面までの距離
ここで、白鍵２０と黒鍵３０とでは、形状が若干異なるので距離について次のように規定した。白鍵２０については、光源Ｒ１から、その真上の表面までの距離Ｈ１を、黒鍵３０については、光源Ｒ２から黒鍵２０の頂点までの距離Ｈ２を、「光源から照光部Ｐ、Ｑ表面までの距離」とした。
なお、光源からの光は、光源の真上だけでなく光源の真上を中心に、白鍵２０、黒鍵３０それぞれの先端部全体に届き、すなわち白鍵２０、黒鍵３０それぞれの先端部全体が照光部Ｐ、Ｑとなる。
（２）白鍵２０と黒鍵３０の照光部Ｐ、Ｑの板厚Ｔ１、Ｔ２
なお、図２、図３、図６（ｂ）、図７（ｂ）から分かるように、白鍵２０、黒鍵３０ともに、照光部Ｐ、Ｑを含む押鍵操作面全体がほぼ均一な厚さで形成されている。
（３）光源の照度
ここでは、光源として、各白鍵２０、黒鍵３０それぞれについて赤色ＬＥＤからなる光源Ｒ１、Ｒ２を１個ずつ用い、光源Ｒ１、Ｒ２の１つ１つに直流電流を流した。
【００４０】
これらの（１）〜（３）の３つのパラメータを変化させながら、次のＡ〜Ｄの４点をクリアしているかを目視で観察し、「○（良い）」「×（悪い）」を判断した。
Ａ．光源を点灯したとき、鍵表面側から光源の輪郭像が映し出されないこと。点灯したときに光源の輪郭像が鍵表面側から見えてしまうと、高級感が損なわれるからである。
Ｂ．白昼下でも、点灯状態が鮮明に視認可能であること。特に白鍵は、黒鍵よりもコントラストの点で分かりにくい。
Ｃ．８８個の鍵盤の左右両端は演奏者からかなり遠い。そこで、鍵盤の左右両サイドなどの演奏者から遠い位置であっても、鍵の発光状態が明確に視認可能であること。
Ｄ．鍵の色合いが高品位であること。
なお、黒鍵３０は、白鍵２０よりも減衰率が大きく光は通りにくいので、同じ板厚でも天面照度は低くなる。ただし、黒鍵３０は白鍵２０と比較して少しでも光れば認識しやすい。具体的には、白鍵２０の場合、照光部Ｐの照度が４０ルクス以上、黒鍵３０の場合、照光部Ｑの照度が１１ルクス以上であれば認識しやすく、好ましい。
【００４１】
（１）光源から照光部Ｐ、Ｑまでの距離Ｈ１、Ｈ２の好適な値を次のように求めた。白鍵２０、黒鍵３０いずれについても、板厚は２ｍｍ、光源照度は７６０ルクスに固定し、光源Ｒ１、Ｒ２に対して鍵の高さを徐々に上げていき、天面部２０ａ、３０ａの照光部Ｐ、Ｑ表面の照度を測定するとともに、前記Ａ〜Ｄの観点から○×評価した。距離Ｈ１、Ｈ２は共に押鍵していない初期位置における距離であるが、評価は初期位置に加えて押鍵したときにも光源の像が見えないかなどを考慮している。
【００４２】
結果を図８（ａ）の図表にまとめた。図８（ａ）には、図８（ａ）の図表をグラフ化した表示した。下限値として８ｍｍであるのは演奏時の鍵のストロークの関係上、設計的に決まっている。また、８ｍｍであっても光源Ｒ１、Ｒ２の像が見えてしまうということはない。
図８（ｂ）から分かるように、距離が大きくなるほど天面照度は比例して小さくなる（暗くなる）。また。前述のように黒鍵３０は減衰率が大きく光は通りにくいので、同じ距離でも天面照度は低くなる一方、白鍵２０と比較して認識しやすいので、天面照度が低くても評価は「○」になる。
図８（ａ）の評価結果から分かるように、白鍵２０についてＨ１＝２８ｍｍであると、天面照度が３２ルクスになり視認しにくくなる。また、黒鍵３０について、Ｈ２＝３０ｍｍで照度が８．８ルクスになり視認しにくくなる。よって、白鍵２０では距離Ｈ１が８ｍｍ以上２７ｍｍ以下、黒鍵３０では距離Ｈ２が８ｍｍ以上２９ｍｍ以下であれば、前記Ａ〜Ｄの点で好ましい。
【００４３】
（２）白鍵２０の板厚Ｔ１、黒鍵３０の板厚Ｔ２の好適な値を次のように求めた。白鍵２０について、前記距離Ｈ１＝１７ｍｍ、光源Ｒ１の照度＝７６０ルクス（ｌｘ）に固定し、天面部２０ａ表面に白鍵２０と同じ材料の薄板（０．５ｍｍ厚）を張り合わせていき、天面部２０ａの照光部Ｐ表面の照度を測定するとともに、前記Ａ〜Ｄの観点から○×評価した。
黒鍵３０について、前記距離Ｈ２＝２０ｍｍ、光源Ｒ２の照度＝７６０ルクスに固定し、天面部３０ａ表面に黒鍵３０と同じ材料の薄板（０．５ｍｍ厚）を張り合わせていき、天面部３０ａの照光部Ｑ表面の照度を測定するとともに、白鍵同様に評価した。
【００４４】
結果を図９（ａ）の図表にまとめ、図９（ｂ）には、図９（ａ）の図表をグラフ化して表示した。下限値が１ｍｍであるのは、１ｍｍ未満は成形が困難であるからである。また、仮に１ｍｍ未満の成形が可能になったとしても、薄っぺらな安価な雰囲気の鍵盤になってしまったり、強度が弱く鍵盤の寿命が短いといった問題も予想され、使用できないと思われる。
図９（ｂ）から分かるように、板厚が厚くなるほど光が透過しにくいので、天面照度は下がっていき、板厚の二乗に反比例して照度は下がった。図９（ａ）の評価結果から分かるように、白鍵２０では、板厚が６．５ｍｍにて照度３９ルクスになり、黒鍵３０では、板厚が３．５ｍｍで照度５．３ルクスになり、いずれも視認しにくくなる。よって、白鍵２０では板厚が１ｍｍ以上６．０ｍｍ以下、黒鍵３０では板厚が１ｍｍ以上３．０ｍｍ以下であれば、前記Ａ〜Ｄの点で好ましいという結果が得られた。
【００４５】
（３）光源の照度
白鍵２０、黒鍵３０の光源Ｒ１、Ｒ２の照度の好適な値を次のように求めた。白鍵２０について、前記距離Ｈ１＝１７ｍｍ、板厚２ｍｍに、黒鍵３０について、距離Ｈ２＝２０ｍｍ、板厚２ｍｍに固定した状態で、光源Ｒ１、Ｒ２それぞれに流す電流値を上げていき、光源Ｒ１、Ｒ２の照度と、天面部２０ａ、３０ａの照光部Ｐ、Ｑ表面の照度を測定するとともに、前記Ａ〜Ｄの観点から○×評価した。
【００４６】
結果を図１０（ａ）の図表にまとめ、図１０（ｂ）には図１０（ａ）から得られた電流値と光源照度の関係を示し、図１０（ｃ）には図１０（ａ）から得られた電流値と天面照度の関係を示した。図１０（ｂ）、（ｃ）から分かるように、電流値が上がれば、光源照度も天面照度もほぼ比例して上昇する。よって、光源照度と天面照度はほぼ比例する。
図１０（ａ）の結果から分かるように、白鍵２０では、電流値５ｍＡ、光源照度１８８ルクスのときに天面照度が３６ルクスになり暗く認識しにくい。黒鍵３０では、電流値４ｍＡ、光源照度１４５ルクスのときに天面照度が９．３ルクスになり視認しにくい。結果として、白鍵２０では２２８ルクス以上、黒鍵３０では１８８ルクス以上であれば、前記Ａ〜Ｄの点で好ましい。
上限値についてであるが、この実験で使用した光源Ｒ１、Ｒ２に対し、限界まで（定格３５ｍＡ）電流値を上げて光源照度を最高値にしても、光源Ｒ１、Ｒ２の像が表面から見えてしまうといったことは起こらず、求めることはできなかった。この実験からは上限値１２００ルクスまでは可能であることが分かった。
【００４７】
光源照度の上限値についてさらに検討した。
より容量が大きく１００ｍＡまで流すことができる赤色ＬＥＤを用いて、電流値を上げていきながら、光源の照度を測定し、電流値と光源照度の関係を調べた。前述のように、実際の鍵盤装置１では、黒鍵３０ではＬＥＤを１個、白鍵２０ではＬＥＤを複数個設置するためのスペースがあることから、１個使用の場合と２個使用の場合のそれぞれについて調べた。
結果を図１１に示した。図１１において、「×」が付いているものは、図１０（ａ）の結果から光量が足りず使用できない照度である。
ＬＥＤを１個設けた場合の最高値である１９００ルクスであっても黒鍵３０の下の光源の像が見えるということはなかった。また、ＬＥＤを２個設けた最高値である３６７０ルクスであっても白鍵２０の下の光源の像が見えるということはなく、使用可能であった。いずれでも、眩しすぎるといったこともなく、十分本発明の鍵盤装置に利用できる明るさであった。
【００４８】
結局、現在のところ、前記Ａ〜Ｄの点で鑑みると光源照度の上限値は実質的に限定することはできない。実際には、鍵盤装置１内の光源設置スペースに設置可能な大きさを有し、ＬＥＤ基板１８ｅで決まる使用可能な電流の定格値や、電力量の節減、コストなどを考慮して、使用可能な光源を選択すればよい。
【００４９】
以上の（１）〜（３）についての結果を表１にまとめた。
【表１】
0003882604.tif 000002
【００５０】
ところで、上記実験では、１つの条件を決めるにあたって、便宜的に他の条件を固定した。例えば、照光部の板厚を求める場合でも、光源照度と光源からの距離を固定したが、複数種類の光源照度や光源からの距離に対して実験すれば理想的ではある。しかしながら、このような理想的な実験を行おうとすれば、その作業量は膨大なものとなり現実的ではない。そこで、本実施の形態では、上記で説明したように他の条件を固定して１つの条件についての適切な値の範囲を定めた。
ただし、このような求めた値が、固定した条件の元でのみ有効であると言うことではない。
例えば照光部Ｐ、Ｑの板厚は、前述のように下限値（１ｍｍ）は製造上の限界、質感、製品寿命で決まる。光源までの距離も押鍵時のストロークから下限値は決まり、また、現実の製品の大きさから白鍵２０・黒鍵３０について表１の上限値を超える上限値は現実的ではない。
光源照度の下限値について、板厚や光源までの距離に多少左右されるかもしれないが、上記のように板厚や距離が光の見え方以外のファクターでも限定されてしまうことと、図８〜図１０に示すように鍵盤を透過する光の減衰率は非常に大きいことを考慮すると、光源照度の下限値は表１の下限値とさほど変わらないと考えるのが現実的である。
【００５１】
以上の鍵盤装置１において、白鍵２０および黒鍵３０は特定の材料から形成され、白鍵２０は白鍵用組成物からなり、黒鍵３０は黒鍵用組成物からなる。以下これら組成物について説明する。
【００５２】
本発明の白鍵用組成物および黒鍵用組成物は、それぞれ、透明性を有するベ−スポリマ−であるポリメチルメタクリレ−ト（ＰＭＭＡ）に対して、光拡散剤および着色剤を混合してなる。
光拡散剤は、入射した光をその表面で反射させたり、光拡散剤の粒子内に入り込んだ光の進行方向を変えることで拡散させる働きをする。着色剤は、白鍵２０および黒鍵３０に好ましい色調を施すために含められる。
なお、ベースポリマーは、適宜、可塑剤、離型剤などの各種微量成分を含んでいても良い。さらに、着色剤を均一に分散させるために含められる分散剤のような他の成分を含んでいてもよい。分散剤としては、エチレンビスアマイド系のワックス或は金属石鹸が用いられる。
図１２に示す図表１に、白鍵用組成物に含まれる各成分の組成比と、黒鍵用組成物に含まれる各成分の組成比とを示した。図表１では、各成分の重量比となる重量部で組成を表している。
【００５３】
着色剤としては、白鍵用組成物では、二酸化チタンを必須の成分とし、群青、およびチタンエロー系顔料を含ませた白色系着色剤を好ましく用いることができる。混合量は、ＰＭＭＡ１００重量部に対して０．１〜１．５０重量部で、この範囲の量であれば、白鍵として十分な白さをもつ高級感のある色調と、押鍵指示のために光透過性と、を両立させることができる。着色剤が０．１重量部未満であると、ベースポリマーの透明感が出てしまい白鍵２０として十分な色調を満たすことができず、１．５０重量部を超えると望ましい光透過性を得ることができない。
二酸化チタンは白色の顔料であり、白鍵用組成物の白さを出すために必須な成分である。群青は青色系無機顔料であり、青みを出すために添加されるものであるが、逆に言えば黄色を吸収することから、組成物の黄色の程度を微調整するための成分であるとも言える。チタンエロー系顔料は黄色の顔料であり、黄色みを出すために添加されるものである。
【００５４】
黒鍵用組成物では、黒色系着色剤としてドライカラーのカーボンブラックを用いる。黒鍵３０に艶を出すため粒子径は小さい方がよく、平均粒子径は１５〜４０ｎｍ程度のものが好ましく、１６〜２２ｎｍのものがさらに好ましい。
カーボンブラックの組成量は、ＰＭＭＡ１００重量部に対して０．０１〜０．０４重量部であり、この範囲の量であれば、黒鍵として十分な黒さをもつ高級感のある色調と光透過性とを両立させることができる。０．０１重量部未満であると十分な黒色が得られずダークブラウンになってしまい、０．０４重量部を超えると望ましい光透過度が得られない。
なお、黒色系着色剤としては、カーボンブラックの他にも黒鍵３０の色調を調整するために、アニリンブラック（ＣＩ．Ｐｉｇｍｅｎｔ  Ｂｌａｃｋ  １）などの顔料、或はＣＩ．Ｓｏｌｖｅｎｔ  Ｂｌａｃｋ  ７及び／又はアンスラキノン系などの染料を含ませても良い。
【００５５】
光拡散剤は、光を拡散させるためのもので、ＰＭＭＡと異なる屈折率を有し、表面が滑らかであり、光透過性を有する微小粒子が好ましい。
白鍵用組成物ではポリスチレン架橋体または硫酸バリウムが好ましく、黒鍵用組成物ではポリスチレン架橋体が好ましい。黒鍵用組成物において硫酸バリウムを使用しない理由は、粒子表面の反射光による散乱光が多く、黒鍵３０が濁ったような色調になることがある為である。
【００５６】
光拡散剤となるポリスチレン架橋体および硫酸バリウムの混合量は、照光部Ｐ、Ｑを照光するＬＥＤ１８ｂ、１８ｃ、１８ｄからの光が適度に拡散され、白鍵２０や黒鍵３０の上方からＬＥＤ１８ｂ、１８ｃ、１８ｄの輪郭が明瞭に浮かび上がることがなく高品位に照光される最小限の量でよい。
すなわち、白鍵用組成物ではＰＭＭＡ１００重量部に対して０〜３重量部であり、黒鍵用組成物ではＰＭＭＡ１００重量部に対して０．３〜３重量部である。白鍵用組成物および黒鍵用組成物のいずれにおいても、３重量部を超える量を添加すると色調に影響して好ましい色合いが得られない。白鍵用組成物では、上述の混合量で着色剤（すなわち二酸化チタンを必須の成分とする上述の着色剤）が含まれていれば、光拡散剤を含ませなくても良好な光拡散が得られる。黒鍵用組成物では、着色剤を含める量の如何にかかわらず、０．３重量部以下では充分な光拡散効果が得られない。
【００５７】
ポリスチレン架橋体は、三次元架橋構造を有し熱を加えても溶けにくい性質を有するもので、ほぼ真球に近い形状のものを用いると良好な手触り感が得られるために好ましい。ポリスチレン架橋体の平均粒子径は、コールターカウンター法で測定して０．５〜１７μｍ程度であれば良く、好ましくは４．０〜８．０μｍである。
硫酸バリウムは、ポリスチレン架橋体と比べて粒子表面が滑らかではなく、白鍵用組成物に若干ザラツキが出やすい傾向があるが、低コストである他、耐候性、化学的・熱的安定性に優れている。本発明においては、硫酸バリウムの中でも、沈降現象を利用して得られた角の少ない微粒子である沈降性硫酸バリウムが特に好ましい。
【００５８】
以上の白鍵用組成物および黒鍵用組成物は次のような方法により加工され白鍵２０および黒鍵３０に形成される。
たとえば、加熱等により軟化させたベースポリマー（ＰＭＭＡ）に対して、光拡散剤、着色剤等を添加し、押し出し機内においてせん断力をかけながら混練し、光拡散剤、着色剤等をベースポリマーにミクロに分散させることによって、白鍵用組成物や黒鍵用組成物を得る。他に、ベースポリマーを溶媒に溶解させた溶液に光拡散剤、着色剤等を組成し十分に撹拌する方法で組成物を得てもよい。
なお、上記のように、ベースポリマーを加熱したりあるいは溶媒に溶解し、光拡散剤等を混合する工程は、光拡散剤そのものが実質的に溶解あるいは軟化することがないような条件で行われる。
このようにして得られた組成物は、押し出し工程、カッティング工程を経て、白あるいは黒に着色された着色ペレットに成形される。この着色ペレットを型成形することによって白鍵２０および黒鍵３０が形成される。
【００５９】
［比較実験］
以下、図１３、図１４を参照して、ベースポリマー（ＰＭＭＡ）に対する光拡散剤と着色剤との組成を変量して作成した多数の着色ペレットをサンプルとして行った比較実験の結果を説明する。
比較実験は、着色ペレットを透過した光の照度を測定すると共に、官能検査により見た目の観察による色合いと光拡散の評価と手触り感とを確認した。
本発明の好適な例として、白色系着色剤では二酸化チタン・群青・チタンエロー系顔料を用い、黒色系着色剤ではカーボンブラック（黒色系ドライカラー）を用いた。
照度測定は、図示はしないが、光源となるＬＥＤを内蔵した簡単な箱体を作製し、その上に着色ペレットを載置し、ＬＥＤを点灯させて着色ペレットを透過する光の照度を測定した。ここで用いたＬＥＤは、実際に本発明の鍵盤装置１において組み込まれるものと同程度の輝度を有し、白鍵用組成物については１７５０（ｌｘ）の照度をもつ単体の赤色ＬＥＤを用い、黒鍵用組成物については１３００（ｌｘ）の照度をもつ単体の赤色ＬＥＤを用いた。また、ＬＥＤから着色ペレットまでの距離も、鍵盤装置１におけるＬＥＤ１８ｂ、１８ｃ、１８ｄと白鍵２０・黒鍵３０との距離と同程度に設定した。なお、着色ペレットは実際の鍵盤を想定し板厚１．６ｍｍで試作した。以上の条件で行った照度測定では、好ましい組成であるか否かの基準値は、白鍵用組成物では４０（ｌｘ）以上、黒鍵用組成物では１１（ｌｘ）以上であった。
【００６０】
白鍵用組成物における実験結果の一覧を表２に示す。
【表２】
0003882604.tif 000003
黒鍵用組成物における実験結果の一覧を表３に示す。
【表３】
0003882604.tif 000004
【００６１】
図１３に基づいて、白鍵用組成物における実験結果を説明する。
図１３は、表１に示す実験結果をプロットしたグラフであり、横軸は光拡散剤の量を、縦軸は二酸化チタンの量を、いずれもベースポリマー１００重量部に対して示している。
各着色ペレットを比較した結果、図１３のＡ−Ａ線より着色剤の量が多いと、着色ペレットの透明度が低下し、ＬＥＤの光が十分に透過できず好ましくない。１．５重量部よりも多く添加したサンプル（ＮＯ１５、１６）では、基準となる７０（ｌｘ）以上の照度が得られなかった。また、図１３のＢ−Ｂ線より着色剤の量が少ないと、白鍵として良好な白度をもつ表面色が得られず好ましくない。また、Ｃ−Ｃ線より光拡散剤の量が少ないと、ＬＥＤからの光線があまり拡散せず、ペレット表面にＬＥＤの輪郭が明瞭に見えてしまい好ましくないが、Ｂ−Ｂ線よりも多い量の着色剤が含まれる場合には、光拡散剤を全く含めなくとも適度な拡散効果が得られ、ＬＥＤの輪郭が明瞭に見えることはなかった。すなわち、着色剤として含めた二酸化チタンにも光拡散の効果があり、本発明の白色用組成物ではＢ−Ｂ線よりも多くの量の着色剤を含めれば、光拡散剤の添加は必ずしも必要ではないことが解った。さらに、光拡散剤にもペレットを着色する作用があり、Ｄ−Ｄ線より多い量の光拡散剤が含まれていると、白鍵として良好な高級感のある色味が得られず好ましくない。
【００６２】
上記のことを全て考慮すると、白鍵用組成物として良好な組成比の範囲は、図１３に示す網掛けを付した領域であり、具体的な数字で言えば、着色剤０．１０〜１．５０重量部程度、光拡散剤０〜３．０重量部程度が好ましいことが分かった。
【００６３】
図１４に基づいて、黒鍵用組成物における実験結果を説明する。
図１４は、表３に示す実験結果をプロットしたグラフであり、横軸は光拡散剤の量を、縦軸はカーボンブラック（黒色系ドライカラー）の量を、いずれもベースポリマー１００重量部に対して示している。
各着色ペレットを比較した結果、図１４のＡ−Ａ線より着色剤の量が多いと、ＬＥＤの光が着色ペレットを十分に透過できず好ましくない。０．０４５重量部の着色剤を添加したサンプル（ＮＯ６）では、光透過性が極端に低下して０．８（ｌｘ）であった。また、図１４のＢ−Ｂ線より着色剤の量が少ないと、黒度が低く黒鍵として良好な表面色が得られず好ましくない。
光拡散剤については、Ｃ−Ｃ線より少ないとＬＥＤからの光線があまり拡散せず、ＬＥＤの輪郭が明瞭に見えるようになり好ましくない。３．０重量部よりも少ない量を添加したサンプル（ＮＯ１１、１２）では充分な光拡散効果が得られなかった。また、Ｄ−Ｄ線より多い量の光拡散剤を含めると、白濁した色合いとなり好ましくない。
上記のことを全て考慮すると、黒鍵用組成物として良好な組成比の範囲は、図１４に示す網掛けを付した領域であり、具体的な数字で言えば、着色剤０．０１〜０．０４重量部程度、光拡散剤０．３０〜３．０重量部程度が好ましいことが分かった。
【００６４】
以上の本発明の実施の形態の鍵盤装置１によれば、上述の白鍵用組成物や黒鍵用組成物からなる白鍵２０や黒鍵３０の照光部Ｐ、Ｑに背面側から照射される光は、適度に拡散された状態で透過して表面から出射する。また、光源から照光部Ｐ、Ｑまでの距離、照光部Ｐ、Ｑの板厚、及び光源照度は、図８〜図１０に示したデータに基づいて所定範囲に限定している。
これにより、演奏者には照光部Ｐ、Ｑそのものがほぼ均一に光って見え、光を発したＬＥＤ１８ｂ、１８ｃ、１８ｄの輪郭が明瞭に浮かび上がることなく高品位な押鍵指示ができ、しかも、白鍵２０および黒鍵３０として高級感のある色調を両立させることができる。
【００６５】
なお、本発明は上記実施の形態に限定されるものではない。
例えば、本実施の形態では、白鍵２０および黒鍵３０に対応させてハンマーアーム４０をそれぞれ設け、ハンマーアーム４０により押鍵時にアクション荷重を付与する鍵盤装置１について述べたがこの構成に限定されない。例えば、白鍵２０および黒鍵３０と鍵盤シャーシ１０との間にコイルばねなどのばね部材（図示しない）をそれぞれ設け、これらばね部材により白鍵２０および黒鍵３０を初期位置に付勢させるようにした鍵盤装置にも適用することができる。
この場合には、ばね部材が付勢手段となり、ハンマーアーム４０とその周辺の構成が不要であり、構成の簡易化が図られる。
その他、本発明の趣旨を逸脱しない範囲において、適宜に変更可能であることは勿論である。
【００６６】
【発明の効果】
請求項１〜３のいずれかに記載の発明によれば、透明性を有するベースポリマーとなるポリメチルメタクリレート１００重量部に対して、二酸化チタンを含む白色系着色剤０．１０〜１．５０重量部の他に、ポリスチレン架橋体および硫酸バリウムのいずれかからなる光拡散剤０〜３重量部とから白鍵用組成物が得られる。この白鍵用組成物により白鍵を作製しているので、高級感のある色調をもたせられると共に、白鍵を背面側から照光する光源の輪郭が明瞭に浮かび上がることなく高品位な押鍵指示ができる品質の白鍵を有する鍵盤装置となる。
【００６７】
さらに、前記白鍵用組成物により白鍵が形成されているので、白鍵の押鍵操作面の背面側から照光部を照光したとき、照光部が光って見えるようになる。従って、メモリ等から呼び出した練習曲に応じて選択的に各光源を点灯した際、照光部が光って見えることから、アイポイントを鍵盤から動かさなくても次に押すべき鍵盤が光る様子を見ることができ、初心者にとって分かり易く使いやすいナビゲート機能となる。
【００６８】
加えて、白鍵が初期位置にあるとき、すなわち押鍵していないときの前記光源から前記照光部の表面までの距離は８ｍｍ以上２７ｍｍ以下であり、前記白鍵の前記照光部における板厚は、１ｍｍ以上６．０ｍｍ以下であり、前記光源の照度は、２２８ルクス以上であることから、光源からの光は演奏者が容易に視認できる程度に白鍵を透過しナビゲート機能を発揮できるとともに、白鍵表面に光源の輪郭が浮かび上がることなく高品位な鍵盤となる。
【００６９】
請求項４〜６のいずれかに記載の発明によれば、透明性を有するベースポリマーとなるポリメチルメタクリレート１００重量部に対して、カーボンブラックを含む黒色系着色剤０．０１〜０．０４重量部の他に、光拡散剤となるポリスチレン架橋体０．３０〜３．０重量部とから黒鍵用組成物が得られる。この黒鍵用組成物により黒鍵を作製しているので、高級感のある色調をもたせられると共に、黒鍵を背面側から照光する光源の輪郭が明瞭に浮かび上がることなく高品位な押鍵指示ができる品質の黒鍵を有する鍵盤装置となる。
【００７０】
さらに、黒鍵が初期位置にあるとき、すなわち押鍵していないときの前記光源から前記照光部の表面までの距離は、８ｍｍ以上２９ｍｍ以下で、前記黒鍵の前記照光部における板厚は、１ｍｍ以上３．０ｍｍ以下であり、前記光源の照度は、１８８ルクス以上であることから、光源からの光は演奏者が容易に視認できる程度に黒鍵を透過しナビゲート機能を発揮するとともに、黒鍵表面に光源の輪郭が浮かび上がることなく高品位な鍵盤となる。
【図面の簡単な説明】
【図１】本発明を適用した一実施の形態の鍵盤装置１を示す図である。
【図２】図１の白鍵２０の長手方向の断面を示す図である。
【図３】図１の黒鍵３０の長手方向の断面を示す図である。
【図４】隣り合う白鍵２０および黒鍵３０を示す図である。
【図５】図４に示すＡ−Ａ'線に沿う断面を示す図である。
【図６】白鍵２０の長手方向の一部断面図であり、（ａ）は光源から照光部までの距離Ｈ１を示し、（ｂ）は白鍵２０の板厚Ｔ１を示す。
【図７】黒鍵３０の長手方向の一部断面図であり、（ａ）は光源から照光部までの距離Ｈ２を示し、（ｂ）は黒鍵３０の板厚Ｔ２を示す。
【図８】光源から白鍵２０及び黒鍵３０までの距離と天面照度の関係を調べた結果を示したもので、（ａ）は得られたデータをまとめた図表であり、（ｂ）は（ａ）をグラフ化したものである。
【図９】白鍵２０及び黒鍵３０の板厚と天面照度の関係を調べた結果を示したもので、（ａ）は得られたデータをまとめた図表であり、（ｂ）は（ａ）をグラフ化したものである。
【図１０】電流値及び光源照度の変化に対する、白鍵２０及び黒鍵３０の天面照度の変化を調べた結果を示したもので、（ａ）は得られたデータをまとめた図表であり、（ｂ）、（ｃ）は（ａ）をグラフ化したものである。
【図１１】図１０の結果を得た光源とは異なる光源を用いて電流値と光源照度の関係を調べた結果をまとめた図表である。
【図１２】白鍵用組成物および黒鍵用組成物の組成を示す図表である。
【図１３】白鍵用組成物における比較実験の結果を示すグラフである。
【図１４】黒鍵用組成物における比較実験の結果を示すグラフである。
【符号の説明】
１    鍵盤装置
１８ｂ  黄色ＬＥＤ（光源の一部）
１８ｃ  赤色ＬＥＤ（光源の一部）
１８ｄ  ２色ＬＥＤ（光源の一部）
２０    白鍵
２３    鍵回動支持軸（軸）
３０    黒鍵
４０    ハンマーアーム
４２    鍵当接部
４４    ハンマー部
Ｐ      照光部
Ｑ      照光部
Ｒ１、Ｒ２    光源
【図１】
0003882604.tif 000005
【図２】
0003882604.tif 000006
【図３】
0003882604.tif 000007
【図４】
0003882604.tif 000008
【図５】
0003882604.tif 000009
【図６】
0003882604.tif 000010
【図７】
0003882604.tif 000011
【図８】
0003882604.tif 000012
【図９】
0003882604.tif 000013
【図１０】
0003882604.tif 000014
【図１１】
0003882604.tif 000015
【図１２】
0003882604.tif 000016
【図１３】
0003882604.tif 000017
【図１４】
0003882604.tif 000018